(57)【要約】【課題】全波形グラフにおける一部の波形データの位置が容易に把握可能で、表示画面上でのデータ検索を迅速に行うこと。【解決手段】    測定データの全てが波形描画されるとともにアラーム発生状況が共通の時間軸で表示される全波形グラフのうちの一部が表示される画面と、前記画面の少なくとも１辺にスクロールバーエリアと、このスクロールバーエリア内にスクロールバーとを表示し、このスクロールバーの前記スクロールエリア内での相対位置により前記画面内で表示される画像の前記全波形グラフにおける位置を示す表示制御手段と、前記全波形グラフに対して前記アラームが発生している区間の位置を前記スクロールバーエリアに関連させて表示するアラーム発生位置表示手段を備えたことを特徴とする。【選択図】図１
2011185911.tif 000002
【特許請求の範囲】
【請求項１】
測定データの全てが波形描画されるとともにアラーム発生状況が共通の時間軸で表示される全波形グラフのうちの一部が表示される画面と、前記画面の少なくとも１辺にスクロールバーエリアと、このスクロールバーエリア内にスクロールバーとを表示し、このスクロールバーの前記スクロールエリア内での相対位置により前記画面内で表示される画像の前記全波形グラフにおける位置を示す表示制御手段と、
前記全波形グラフに対して前記アラームが発生している区間の位置を前記スクロールバーエリアに表示するアラーム発生位置表示手段を備えたことを特徴とする波形表示装置。
【請求項２】
測定データの全てが波形描画されるとともにアラーム発生状況が共通の時間軸で表示される全波形グラフのうちの一部が表示される画面と、前記画面の少なくとも１辺にスクロールバーエリアと、このスクロールバーエリア内にスクロールバーとを表示し、このスクロールバーの前記スクロールエリア内での相対位置により前記画面内で表示される画像の前記全波形グラフにおける位置を示す表示制御手段と、
前記全波形グラフに対して既に波形表示した区間を前記スクロールバーエリアに表示する既表示区間表示手段を備えたことを特徴とする波形表示装置。
【請求項３】
測定データの全てが波形描画されるとともにアラーム発生状況が共通の時間軸で表示される全波形グラフのうちの一部が表示される画面と、前記画面の少なくとも１辺にスクロールバーエリアと、このスクロールバーエリア内にスクロールバーとを表示し、このスクロールバーの前記スクロールエリア内での相対位置により前記画面内で表示される画像の前記全波形グラフにおける位置を示す表示制御手段と、
前記画面に表示される情報量を予め定められた単位時間ごとに算出し、算出された情報量の大小関係を予め定められた色によって前記スクロールバーエリアに表示する情報量表示手段を備えることを特徴とする波形表示装置。
【請求項４】
表示制御手段が、測定データの全てが波形描画されるとともにアラーム発生状況が共通の時間軸で表示される全波形グラフのうちの一部が表示される画面と、前記画面の少なくとも１辺にスクロールバーエリアと、このスクロールバーエリア内にスクロールバーとを表示し、このスクロールバーの前記スクロールエリア内での相対位置により前記画面内で表示される画像の前記全波形グラフにおける位置を示す波形表示装置において、
前記スクロールバーの長さが変更すると前記画面内で表示される画像の表示倍率を変化させて表示する長さ変更手段を備えることを特徴とする波形表示装置。
【請求項５】
測定データの全てが波形描画されるとともにアラーム発生状況が共通の時間軸で表示される全波形グラフのうちの一部が表示される画面と、前記画面の少なくとも１辺にスクロールバーエリアと、このスクロールバーエリア内にスクロールバーとを表示し、このスクロールバーの前記スクロールエリア内での相対位置により前記画面内で表示される画像の前記全波形グラフにおける位置を示す表示制御手段と、
前記画面内に表示されている区間の時刻または前記測定データの識別情報を前記スクロールバーに表示する識別情報表示手段を備えることを特徴とする波形表示装置。
【請求項６】
前記アラーム発生位置表示手段、前記既表示区間表示手段、前記情報量表示手段、前記長さ変更手段、前記識別情報表示手段のうち少なくともいずれかを備えることを特徴とする請求項１〜５のいずれかに記載の波形表示装置。
【請求項７】
前記アラーム発生位置表示手段が前記スクロールバーエリアに関連させて表示する前記全波形グラフにおいて前記アラームが発生している区間、又は、前記既表示区間表示手段が前記スクロールバーエリアに表示する既に波形表示した区間、又は、前記情報量表示手段が前記スクロールバーエリアに表示する前記情報量の大小関係を、他のエリアの表示と色、濃度、マーク、フリッカ、視覚的に異なる表示態様により区別して表示するバー設定手段を備えることを特徴とする請求項６に記載の波形表示装置。
【発明の詳細な説明】
【技術分野】
【０００１】
本発明は、表示制御手段が、測定データの全てが波形描画されるとともにアラーム発生状況が共通の時間軸で表示される全波形グラフのうちの一部が表示される画面と、画面の少なくとも１辺にスクロールバーエリアと、このスクロールバーエリア内にスクロールバーとを表示し、このスクロールバーのスクロールエリア内での相対位置により画面内で表示される画像の全波形グラフにおける位置を示す波形表示装置に関し、特に全波形グラフにおける一部の波形データの位置が容易に把握可能で、表示画面上でのデータ検索を迅速に行うことを実現可能とする波形表示装置に関するものである。
【背景技術】
【０００２】
従来から、入力信号を波形観測する波形測定器における波形表示や、収集された波形データをコンピュータに接続された表示装置上で表示する波形表示等では、入力波形の表示に併せてアラーム表示を行うものがある。なお、ここでのアラームとは、波形測定データがある閾値を越えた場合に発生する２値データである。
【０００３】
従来の波形表示装置では、外部の被測定対象から取得した（外部より与えられる）測定データを波形のグラフィック等のように、表示倍率が可変の図形を表示していた。
また従来の波形表示装置は、表示際には、表示範囲の移動にはスクロールバーを用いる、表示倍率の変更には変更用のメニューやポインタを用いる、あるいは一度全体を表示してから表示範囲を選択する等の手法が用いられていた。
【０００４】
ここで、スクロールバーとは、表示領域が限られている画面において、表示すべき全ての情報のどの部分を表示するか、または表示しているかを指示および確認する為のユーザインタフェースである。
一般的なスクロールバーは、その全体サイズが表示すべき全ての情報を示し、バーの長さが全情報に対する現在表示している情報の量を示し、バーの位置が現在表示中の情報の全情報における位置を示している。またスクロールバーを移動させることによってそれらの設定を変更する事が可能であり、結果的に表示される情報がそれに連動し変化する事になる。つまりスクロールバーは、限られた表示領域の中で、期待すべき情報を表示する為に用いられている。
【０００５】
図１１は、従来の波形表示装置の一例を示す構成図及びその測定結果を波形グラフで表示した表示例図である。（Ａ）は波形表示装置の構成、（Ｂ）は波形グラフの一例である。図１１において従来の波形表示装置は、記憶手段１１と、演算制御部１２と、入力手段１３と、表示手段１４とを備えている。
【０００６】
記憶手段１１は、外部から与えられる測定値及びアラームの有無などに関する情報を記憶し、これらの情報を記憶するデータ格納用のメモリである。また記憶手段１１は、演算制御部１２が実行する種々のプログラムも記憶する。
【０００７】
演算制御部１２は、記憶手段１１から読み出した情報とプログラムとに基づいて、表示手段１４に種々の情報を表示するための処理を実行する中央処理部（ＣＰＵ（Central Processing Unit））である。
また、演算制御部１２は、測定データの全てが波形描画されるとともにアラーム発生状況が共通の時間軸で表示される「全波形グラフ」を生成する。
【０００８】
入力手段１３は、演算制御部１２に種々の情報を入力するキーボードやマウスなどである。
【０００９】
表示手段１４は、演算制御装置１２が出力する種々の情報を表示する装置であり、全波形グラフのうちの一部を画面１００に表示する。
全波形グラフおよび画面１００、波形表示領域とアラーム表示領域とで構成される。
【００１０】
表示手段１４は、波形表示領域に、記憶手段１１に記憶された（各チャネルの）測定データが波形描画される。また表示手段１４は、複数の波形を表示するときは、当該チャネルに割り当てられた色で表示する。
また、表示手段１４は、アラーム表示領域には、アラームが発生している区間（以下アラーム発生区間という）を帯状に表示する。なおアラーム表示は、波形表示と共通の時間軸とし、また各アラーム発生区間は対応の波形と同じ色で塗りつぶされる。
【００１１】
さらに、表示手段１４は、画面１００の少なくとも１辺にスクロールバーエリア１１０と、このスクロールバーエリア１１０内にスクロールバー１２０とを表示する。
これにより、従来の波形表示装置は、スクロールバー１２０のスクロールエリア１１０内での相対位置により、画面１００内で表示される画像の全波形グラフにおける位置を示している。
【００１２】
また表示手段１４は、スクロールバーエリア１１０の両端に、スクロールバー１２０を移動操作させるための矢印キー（左右スクロールボタン）を表示する。
【００１３】
従来の波形表示装置は、画面１００中に時間軸が存在し、スクロール−バーや矢印キーを用いて、時間軸上のデータを変更することにより、波形測定データの推移状況をスクロール的な画面更新で表示可能にしている。
たとえば、表示画面上に表示されている波形データの中で、所望とする時刻における波形データを表示させたいときは、スクロールバーをその時刻の位置まで移動させ、所定のデータ表示部に表示させている。
【００１４】
このような波形表示装置に関連する先行技術文献として下記の特許文献１がある。
【先行技術文献】
【特許文献】
【００１５】
【特許文献１】特開平１０−３００７９３号公報
【発明の概要】
【発明が解決しようとする課題】
【００１６】
しかしながら、従来の波形表示装置では、スクロールバーは、あくまで全体の中の位置を指定するものであるので、表示している内容が期待すべき情報なのか否かはスクロールバーに連動されて表示される波形データ又は情報を視認し把握するしかなく、所望のデータの表示に時間がかかってしまうという問題点があった。
【００１７】
たとえば、従来の波形表示装置では、アラームが発生している区間における波形データを表示させたい場合、または、予め定められた時間単位に対して測定データ量の多い領域（または少ない領域）を表示させたい場合でも、スクロールバーを移動させて波形データの推移状況をスクロール的な画面更新で表示することにより視認して把握するしかなく、所望のデータの表示に時間がかかってしまうという問題点があった。
【００１８】
さらに、近年では、情報が多様化、複雑化しており、かつ、その量も増加している（たとえば全波形グラフの時間帯が長時間になる）ので、従来の波形表示装置による、スクロールバーを移動させて波形データの推移状況をスクロール的な画面更新で表示することにより視認して把握する方法では、特定するのに必要な時間が大幅に増加しているという問題点があった。
【００１９】
また従来の波形表示装置では、「表示した情報の視認」が前提となっているので、スクロールバーを移動させて波形データの推移状況をスクロール的な画面更新で表示する際には、スクロールバーによって指定された情報は全て同期して表示する必要があり、表示（描画）に必要な時間がかかってしまうという問題点があった。
なお、近年の描画技術の向上により、表示スピードは従来に比べ大幅に改善されているが、情報量も増加しているので表示（描画）に時間がかかってしまうという問題点があった。
【００２０】
また波形グラフの確認作業においては一連の測定データによる全ての波形表示を確認するという確認作業が含まれることがある。この場合、従来の波形表示装置では、スクロールバーの移動による波形データの推移状況をスクロール的な画面更新では、どこまで確認したかを把握できず、画面表示を途中で中止した場合には、改めて最初から画面表示をする必要があるという問題点があった。
またこの場合、どの位置から再び表示確認を開始すればよいのかを検索するにあたっては、スクロールバーを移動させて波形データの推移状況をスクロール的な画面更新で表示し視認把握する方法では、特定に時間がかかってしまうという問題点があった。
【００２１】
本発明は上述の問題点を解決するものであり、その目的は、全波形グラフにおける一部の波形データの位置が容易に把握可能で、表示画面上でのデータ検索を迅速に行うことを可能とする波形表示装置を実現することを目的とする。
【課題を解決するための手段】
【００２２】
このような課題を解決するために、本発明のうち請求項１記載の発明は、
測定データの全てが波形描画されるとともにアラーム発生状況が共通の時間軸で表示される全波形グラフのうちの一部が表示される画面と、前記画面の少なくとも１辺にスクロールバーエリアと、このスクロールバーエリア内にスクロールバーとを表示し、このスクロールバーの前記スクロールエリア内での相対位置により前記画面内で表示される画像の前記全波形グラフにおける位置を示す表示制御手段と、
前記全波形グラフに対して前記アラームが発生している区間の位置を前記スクロールバーエリアに関連させて表示するアラーム発生位置表示手段を備えたことを特徴とする波形表示装置である。
【００２３】
請求項２記載の発明は、
測定データの全てが波形描画されるとともにアラーム発生状況が共通の時間軸で表示される全波形グラフのうちの一部が表示される画面と、前記画面の少なくとも１辺にスクロールバーエリアと、このスクロールバーエリア内にスクロールバーとを表示し、このスクロールバーの前記スクロールエリア内での相対位置により前記画面内で表示される画像の前記全波形グラフにおける位置を示す表示制御手段と、
前記全波形グラフに対して既に波形表示した区間を前記スクロールバーエリアに関連させて表示する既表示区間表示手段を備えたことを特徴とする波形表示装置である。
【００２４】
請求項３記載の発明は、
測定データの全てが波形描画されるとともにアラーム発生状況が共通の時間軸で表示される全波形グラフのうちの一部が表示される画面と、前記画面の少なくとも１辺にスクロールバーエリアと、このスクロールバーエリア内にスクロールバーとを表示し、このスクロールバーの前記スクロールエリア内での相対位置により前記画面内で表示される画像の前記全波形グラフにおける位置を示す表示制御手段と、
前記画面に表示される情報量を予め定められた単位時間ごとに算出し、算出された情報量の大小関係を予め定められた色によって前記スクロールバーエリアに関連させて表示する情報量表示手段を備えることを特徴とする波形表示装置である。
【００２５】
請求項４記載の発明は、
測定データの全てが波形描画されるとともにアラーム発生状況が共通の時間軸で表示される全波形グラフのうちの一部が表示される画面と、前記画面の少なくとも１辺にスクロールバーエリアと、このスクロールバーエリア内にスクロールバーとを表示し、このスクロールバーの前記スクロールエリア内での相対位置により前記画面内で表示される画像の前記全波形グラフにおける位置を示す表示制御手段と、
前記スクロールバーの長さが変更すると前記画面内で表示される画像の表示倍率を変化させて表示する長さ変更手段を備えることを特徴とする波形表示装置である。
【００２６】
請求項５記載の発明は、
測定データの全てが波形描画されるとともにアラーム発生状況が共通の時間軸で表示される全波形グラフのうちの一部が表示される画面と、前記画面の少なくとも１辺にスクロールバーエリアと、このスクロールバーエリア内にスクロールバーとを表示し、このスクロールバーの前記スクロールエリア内での相対位置により前記画面内で表示される画像の前記全波形グラフにおける位置を示す表示制御手段と、
前記画面内に表示されている区間の時刻または前記測定データの識別情報を前記スクロールバーに表示する識別情報表示手段を備えることを特徴とする波形表示装置である。
【００２７】
請求項６記載の発明は、請求項１〜５のいずれかに記載の波形表示装置において、
前記アラーム発生位置表示手段、前記既表示区間表示手段、前記情報量表示手段、前記長さ変更手段、前記識別情報表示手段のうち少なくともいずれかを備えることを特徴とする。
【００２８】
請求項７記載の発明は、請求項６に記載の波形表示装置において、
前記アラーム発生位置表示手段が前記スクロールバーエリアに関連させて表示する前記全波形グラフにおいて前記アラームが発生している区間、又は、前記既表示区間表示手段が前記スクロールバーエリアに表示する既に波形表示した区間、又は、前記情報量表示手段が前記スクロールバーエリアに表示する前記情報量の大小関係を、他のエリアの表示と色、濃度、マーク、フリッカ、視覚的に異なる表示態様により区別して表示するバー設定手段を備えることを特徴とする。
【発明の効果】
【００２９】
本発明であれば、アラーム発生位置表示手段が、アラーム発生区間の位置と長さを、スクロールバーエリア上に表示することにより、全波形グラフにおける一部の波形データの位置が容易に把握可能で、表示画面上でのデータ検索を迅速に行うことができる。
【００３０】
すなわち、従来の技術であれば波形グラフのアラーム情報を視認しながらスクロールバーを移動させなくてはならなかったところ、本発明ではアラーム情報が既にスクロールバーのバックグラウンドに何らかの形で表示されているため、その地点（アラーム発生区間）への移動が容易かつ迅速に行える点で有効である。
【００３１】
また、本発明によれば、既表示区間表示手段が、既表示区間の位置と長さを、スクロールバーエリア上に表示することにより、既表示区間と未表示の区間とが区別できるため、画面表示を途中で中止した場合であっても、未表示の区間だけを確認すればよく、表示確認の再開始位置を容易に把握可能で迅速に再開始位置に移動できる点で有効である。
【００３２】
また、本発明によれば、情報量表示手段が、算出された情報量の大小関係を予め定められた色によってスクロールバーエリアに関連させて画面に表示することにより、全波形グラフにおける情報量の多いデータの位置（一部の波形データの位置）が容易に把握可能で、表示画面上でのデータ検索を迅速に行うことができる、また、測定値情報のデータ数の量を容易に把握することができる点で有効である。
【００３３】
また、本発明によれば、長さ変更手段が、スクロールバーの長さが変更すると画面内で表示される画像の表示倍率を変化させて表示させることにより、全波形グラフの概観が画面に表示できるため、全波形グラフにおける一部の波形データの位置が容易に把握可能で、表示画面上でのデータ検索を迅速に行うことができる点で有効である。
【００３４】
また、本発明によれば、識別情報表示手段が、画面内に現在表示されている波形データの時間帯情報などの区間情報をスクロールバー上に表示することにより、表示画面上において、表示を所望する時間帯の全波形グラフにおける位置の特定が容易になる。
すなわち、本発明によれば、識別情報表示手段は画面内に表示されている区間の時刻または測定データの識別情報をスクロールバーに表示することにより、全波形グラフにおける一部の波形データの位置が容易に把握可能で、表示画面上でのデータ検索を迅速に行うことができる点で有効である。
【００３５】
また本発明であれば、バー設定手段が、設定対象の表示に係る色、濃度、マーク、フリッカの種別を変更し、視覚的に異なる表示態様により区別して表示することにより、全波形グラフにおける一部の波形データの位置が容易に把握可能で、表示画面上でのデータ検索を迅速に行うことができる。
【図面の簡単な説明】
【００３６】
【図１】本発明に係る波形表示装置の一例を示す構成図及びその測定結果を波形グラフで表示した表示例図である。
【図２】図１の表示制御手段２２ａおよびアラーム発生位置表示手段２２ｂが表示する画面２００の一例である。
【図３】図１の波形表示装置の動作フロー図である。
【図４】表示制御手段２２ａによるスクロールバーの長さ及び位置決定についての動作説明図である。
【図５】アラーム発生位置表示手段２２ｂによるスクロールバーエリア２１０内におけるアラーム発生区間の位置及びサイズの決定の動作説明図である。
【図６】図１の表示制御手段２２ａおよび既表示区間表示手段２２ｃが表示する画面２００の一例である。
【図７】図１の表示制御手段２２ａおよび既表示区間表示手段２２ｃが表示する画面２００の一例である。
【図８】図１の表示制御手段２２ａおよび長さ変更手段２２ｅが表示する画面２００の一例である。
【図９】図１の表示制御手段２２ａおよび識別情報表示手段２２ｆが表示する画面２００の一例である。
【図１０】図１の表示制御手段２２ａおよびバー設定手段２２ｇが表示する画面２００の一例である。
【図１１】従来の波形表示装置の一例を示す構成図及びその測定結果を波形グラフで表示した表示例図である。
【発明を実施するための形態】
【００３７】
＜第１の実施例＞
（構成の説明）
図１は、本発明に係る波形表示装置の一例を示す構成図及びその測定結果を波形グラフで表示した表示例図である。
【００３８】
図１において、本発明に係る波形表示装置は、記憶手段２１と、演算制御部２２と、演算制御部２２に種々の情報を入力するキーボードやマウスなどの入力手段２３と、ＬＣＤ（Liquid Crystal Display）などの表示手段２４と、外部の測定装置等とネットワークを介して接続され、測定データを受信する通信手段２５を備えている。
【００３９】
記憶手段２１は、主に、外部から与えられる測定値（測定データ）及びアラームの有無などに関する情報（アラームデータ）等を記憶し、これらの情報を記憶するデータ格納用のメモリである。また記憶手段２１は、演算制御部２２が実行する種々のプログラムも記憶する。
【００４０】
演算制御部２２は、記憶手段２１から読み出した情報とおよびプログラムとに基づいて、表示手段２４に種々の情報を表示するための処理を実行する中央処理部（ＣＰＵ）である。また、演算制御部２２は、記憶手段２１の各種データに基づいて、測定データの全てを波形描画するとともにアラーム発生状況を共通の時間軸で表示する「全波形グラフ」を生成する。
【００４１】
表示手段２４は、演算制御装置２２により生成される種々の情報を表示する装置であり、全波形グラフのうちの一部を画面２００に表示する。
【００４２】
ここで、演算制御部２２は、記憶手段２１に格納されているＯＳなどを起動して、このＯＳ上で格納されたプログラムを読み出し実行することにより各手段または機器全体を制御し、波形表示装置固有の動作を行う。このとき記憶手段２１、演算制御部２２によって実行されるプログラムやアプリケーションをプログラム格納エリアに展開し、入力されたデータや、プログラムやアプリケーションの実行時に生じる処理結果などのデータをワークエリアに一時的に記憶するものであってもよい。
また、上述の各手段は、演算制御部２２が記憶手段２１に格納されているＯＳなどを起動して、このＯＳ上で格納されたプログラムやアプリケーションを読み出し実行することにより制御されるものでもよい。
【００４３】
演算制御部２２は、主に表示制御手段２２ａを備え、アラーム発生位置表示手段２２ｂの機能ブロックを有する。
また、演算制御部２２は、既表示区間表示手段２２ｃ、情報量表示手段２２ｄ、長さ変更手段２２ｅ、識別情報表示手段２２ｆのうち少なくともいずれかおよびバー設定手段２２ｇを備えるものでもよく、これらの説明は＜第２の実施例＞〜＜第５の実施例＞で説明する。なお、これらの各手段はバスにより相互に接続されるようなそれぞれ独立した機器から構成されるものであってもよい。
【００４４】
（表示制御手段の説明）
表示制御手段２２ａは、記憶手段２１に記憶される外部からの測定データに基づき、「全波形グラフ」を生成し、表示手段２４を制御して全波形グラフの一部を画面２００に表示する。
【００４５】
表示制御手段２２ａが生成する全波形グラフおよび画面２００は、波形表示領域とアラーム表示領域とで構成される。
【００４６】
表示制御手段２２ａは、表示手段２４を制御して波形表示領域に、記憶手段２１に記憶された（各チャネルの）測定データを波形描画する。
表示制御手段２２ａは、表示手段２４を制御して複数の波形を表示するときには、当該チャネルに割り当てられた色で表示する。
また表示制御手段２２ａは、表示手段２４を制御してアラーム表示領域には、アラーム発生区間を帯状に表示する。なおアラーム表示は、波形表示と共通の時間軸とし、また各アラーム発生区間は対応の波形と同じ色で塗りつぶされる。
【００４７】
さらに、表示制御手段２２ａは、表示手段２４を制御して画面２００の少なくとも１辺にスクロールバーエリア２１０と、このスクロールバーエリア２１０内に（たとえば透過色で）スクロールバー２２０とを表示する。
これにより、波形表示装置は、スクロールバー２２０のバックグラウンドに示されたスクロールバーエリア２１０上の画像、情報等をユーザーに視認させることができる。すなわちスクロールバーエリア２１０はスクロールバー２２０の配置可能領域である。
【００４８】
スクロールバー２２０のスクロールバーエリア２１０内での相対位置は、画面２００内で表示される画像の全波形グラフにおける位置を示している。
また表示手段２４は、スクロールバーエリア２１０の両端に、スクロールバー２２０を移動操作させるためのスクロールボタン（矢印キー）を表示する。
【００４９】
表示制御手段２２ａは、スクロールバーエリア２１０の（時間軸に対する）長さを記憶手段２１に格納される全波形グラフの長さ（全測定データの容量）に対応させて表示する。このとき、スクロールバー２００の長手方向の位置と全波形グラフの中で画面２００に表示される位置（測定データのデータ格納エリアの位置）とが対応づけられている。
【００５０】
本発明の波形表示装置は、画面２００中に時間軸が存在し、スクロール−バーを時間軸に沿って移動させる、矢印キーをクリックする、時間軸上のデータを変更することにより、波形測定データの推移状況をスクロール的な画面更新で表示可能にしている。
たとえば、表示画面上に表示されている波形データの中で、所望とする時刻における波形データを表示させたいときは、スクロールバーをその時刻の位置まで移動させ、所定のデータ表示部に表示させている。
【００５１】
（アラーム発生位置表示手段の説明）
アラーム発生位置表示手段２２ｂは、表示制御手段２２ａが生成する全波形グラフの時間幅におけるアラーム発生区間の位置と長さを、スクロールバーエリア２１０上にスクロールバーエリア２１０と関連させて画面２００を表示する。
【００５２】
具体的には、アラーム発生位置表示手段２２ｂは、記憶手段２１に記憶されている全波形グラフの表示に基づいて、アラーム発生区間の位置及び長さを取得する。
また、アラーム発生位置表示手段２２ｂは表示手段２４を制御して、全波形グラフに占めるアラーム発生区間の位置及び長さを、全波形グラフの時間幅からスクロールバーエリア２１０の幅（長さ）に縮小した縮小率に基づいて縮小し、スクロールバーエリア２１０上にアラーム発生区間を帯状に表示する。
なおアラーム表示は、波形表示と共通の時間軸とし、また各アラーム発生区間は対応の波形と同じ色で塗りつぶされる。
【００５３】
図２は、図１の表示制御手段２２ａおよびアラーム発生位置表示手段２２ｂが表示する画面２００の一例である。（Ａ）は画面がアラーム発生区間を表示していない場合、（Ｂ）は画面がアラーム発生区間を表示している場合の説明図である。
（Ａ）、（Ｂ）において、アラーム発生位置表示手段２２ｂは、表示手段２４を制御して、全波形グラフに占めるアラーム発生区間の発生時間帯（Ｔ１００〜Ｔ１１０、Ｔ１７０〜Ｔ１９０）を、全波形グラフの時間幅からスクロールバーエリア２１０の幅（長さ）に縮小した縮小率に基づいて縮小し、スクロールバーエリア２１０上にアラーム発生区間の発生時間帯（ｔ１００〜ｔ１１０、ｔ１７０〜ｔ１９０）を帯状に表示する。
【００５４】
（Ｂ）に示すように、スクロールバー２２０がスクロールバーエリア２１０に表示されるアラーム発生区間の発生時間帯（ｔ１７０〜ｔ１９０）上に移動したときは、表示制御手段２２ａおよびアラーム発生位置表示手段２２ｂは、画面２００にはアラーム発生区間を含んだ波形を表示される。
【００５５】
（動作の説明）
このような構成で本発明の波形表示装置は、以下の動作を行なう。図３は図１の波形表示装置の動作フロー図である。
【００５６】
ステップＳＰ１０１において、表示制御手段２２ａは、スクロールバーエリア２１０の（時間軸に対する）長さを記憶手段２１に格納されている測定データの容量に対応した長さに決定する。
また表示制御手段２２ａは、全波形グラフの時間軸方向の長さと表示制御手段２２ａが表示する画面２００の長さとの比率ＲＴ１００を算出する。
表示制御手段２２ａは、スクロールバーエリア２１０とスクロールバー２２０の比率が比率（縮小率）ＲＴ１００と略同一となるように、スクロールバー２２０の長さを決定する。
【００５７】
ステップＳＰ１０２において、表示制御手段２２ａは、スクロールバー２２０の初期位置を決定する。
たとえば、表示制御手段２２ａは、スクロールバー２２０は、スクロールバーエリア２１０のいずれか一方の端点に接する位置を初期位置として決定する。
【００５８】
ステップＳＰ１０３において、アラーム発生位置表示手段２２ｂは、記憶手段２１に記憶されているアラームデータ、全波形グラフの少なくともいずれかを取得し、アラーム発生区間を把握する。
言い換えれば、表示制御手段２２ａは、全波形グラフの中からアラーム発生区間の位置と長さを特定する。たとえば全波形グラフで表される時間軸のいずれか一方の端点を原点とし、原点からアラーム発生区間までの距離ＤＴ１００を算出して、その位置および発生期間を把握する。
【００５９】
ステップＳＰ１０４において、アラーム発生位置表示手段２２ｂは、取得したアラーム発生区間に基づき、スクロールバーエリア２１０において表示するアラーム発生区間の位置及びサイズを算出する。
たとえば、表示制御手段２２ａは、比率（縮小率）ＲＴ１００に基づいて、全波形グラフにおける原点からアラーム発生区間までの距離ＤＴ１００を縮小させて、スクロールバーエリア２１０の端点を原点とするアラーム発生区間までの距離を算出することにより、スクロールバーエリア２１０において表示するアラーム発生区間の位置及びサイズを算出する。
【００６０】
ステップＳＰ１０５において、表示制御手段２２ａは、表示手段２４を制御して画面２００およびこの画面の１辺にスクロールバーエリア２１０を表示する。
また表示手段２４は、スクロールバーエリア２１０の両端に、スクロールバー２２０を移動操作させるための矢印キーを表示する。
【００６１】
ステップＳＰ１０６において、アラーム発生位置表示手段２２ｂは、アラーム発生区間をスクロールバーエリア２１０上（たとえばバックグラウンド上）に帯状に表示する。なお表示制御手段２２ａは、各アラーム発生区間は対応の波形と同じ色で塗りつぶして、アラーム表示を行なう。
【００６２】
ステップＳＰ１０７において、表示制御手段２２ａは、スクロールバー２２０を算出された長さでスクロールバーエリア２１０上に表示する。
【００６３】
この結果、本発明によれば、アラーム発生位置表示手段２２ｂが、アラーム発生区間の位置と長さを、スクロールバーエリア２１０上に表示することにより、全波形グラフにおける一部の波形データの位置が容易に把握可能で、表示画面上でのデータ検索を迅速に行うことができる。
【００６４】
すなわち、従来の技術であれば波形グラフのアラーム情報を視認しながらスクロールバーを移動させなくてはならなかったところ、本発明ではアラーム発生区間の位置がスクロールバーのバックグラウンドに何らかの形で表示されているため、アラーム発生区間への移動が容易かつ迅速に行える点で有効である。
【００６５】
（他の動作例）
【００６６】
なお、本発明に係る波形表示装置は、表示制御手段２２ａがスクロールバー２２０の長さおよび初期位置を決定する際には、以下のような動作により決定するものでもよい。
図４は、表示制御手段２２ａによるスクロールバーの長さ及び位置決定についての動作説明図であり、（Ａ）は画面の一例、（Ｂ）は動作フローである。
【００６７】
図４において、表示画面（画面２００）の長さ（横サイズ）をサイズＡ、全波形グラフ（全表示情報量）の長さ（横サイズ）をサイズＢ、スクロールバー２２０の横の長さをサイズＣ（一般的な用途では＝サイズＡとなる)、スクロールバーエリア２１０の長さ（横サイズ）をサイズＤ、スクロールバー２２０の長さ（横サイズ）をサイズＥ、全波形グラフの左端を原点０としたときの原点０から表示したい情報の先頭までの距離をサイズＦ、スクロールバーエリア２１０の左側の端点を原点０´としたときの原点０´からスクロールバー２２０の先頭までの位置をサイズＧとする。
ここでサイズＡおよびサイズＣは既知であるものとする。
【００６８】
図４（Ｂ）において、表示制御手段２２ａは、以下のような動作によりスクロールバーエリア２１０の長さおよびスクロールバー２２０の長さおよび初期位置を決定する。
【００６９】
ステップＳＰ２０１において、表示制御手段２２ａは、予め設定された横１ドットあたりの表示情報量と全ての情報量から、実際に全ての情報（全波形グラフ）を表示する為に必要な横サイズを算出し(＝全情報量×横１ドットあたりの表示情報量)、サイズＢを算出する。
【００７０】
ステップＳＰ２０２において、表示制御手段２２ａは、以下の式（１）を用いてサイズＤを算出する。
サイズＤ＝サイズＣ−左スクロールボタン横サイズ−右スクロールボタン横サイズ・・・（１）
【００７１】
ステップＳＰ２０３において、表示制御手段２２ａは、算出されたサイズＢとサイズＡの比率と、算出されたサイズＤとサイズＥの比率が同一となるように（サイズＢ：サイズＡ＝サイズＤ：サイズＥとなるように）サイズＥを算出する。
これにより表示制御手段２２ａは、スクロールバー２２０の長さ（サイズＥ）を決定できる。
【００７２】
ステップＳＰ２０４において、表示制御手段２２ａは、サイズＢとサイズＦの比率と、サイズＤとサイズＧの比率とが同一となるように（サイズＢ：サイズＦ＝サイズＤ：サイズＧとなるように）サイズＧを算出する。
これにより表示制御手段２２ａは、スクロールバー２２０の初期位置を決定できる。
【００７３】
また、本発明に係る波形表示装置は、アラーム発生位置表示手段２２ｂがスクロールバーエリア２１０において表示するアラーム発生区間の位置及びサイズを算出する際には、以下のような動作により決定するものでもよい。
図５は、アラーム発生位置表示手段２２ｂによるスクロールバーエリア２１０内におけるアラーム発生区間の位置及びサイズの決定の動作説明図であり、（Ａ）は画面の一例、（Ｂ）は動作フローである。
【００７４】
図５において、全表示情報量（全波形グラフ）の長さ（横サイズ）をサイズＡ、スクロールバーエリア２１０の長さ（横サイズ）をサイズＢ、全波形グラフの左端を原点０としたときの原点０からアラーム発生区間の先頭までの距離をサイズＣ、スクロールバーエリア２１０の左端を原点０´としたときの原点０´から相対的なスクロールバー表示領域におけるアラーム発生区間の先頭までの距離をサイズＤ、アラーム発生区間の長さ（横サイズ）をサイズＥ、スクロールバーエリア２１０内におけるアラーム発生区間の長さ（横サイズ）をサイズＦとする。ここでサイズＡおよびサイズＢは既知であるものとする。
【００７５】
図５（Ｂ）において、アラーム発生位置表示手段２２ｂは、以下のような動作によりスクロールバーエリア２１０内におけるアラーム発生区間の位置及びサイズを決定する。
【００７６】
ステップＳＰ３０１において、アラーム発生位置表示手段２２ｂは、記憶手段２１から全波形グラフ、測定データ、アラーム情報等を取得し、アラームが発生しているか否か判定する。アラームが発生していると判定されるとステップＳＰ３０２に移行する。なお、アラームが発生していないものと判定されると動作を終了する。
【００７７】
ステップＳＰ３０２において、アラーム発生位置表示手段２２ｂは、予め設定された横１ドットあたりの表示情報量と記憶手段２１から取得するアラームの情報量から、全波形グラフにおけるアラーム発生区間の長さであるサイズＥを算出する。
【００７８】
ステップＳＰ３０３において、アラーム発生位置表示手段２２ｂは、サイズＡと算出されたサイズＥの比率と、サイズＢとサイズＦの比率が同一なるように（サイズＡ：サイズＥ＝サイズＢ：サイズＦとなるように）サイズＦを算出する。
これによりアラーム発生位置表示手段２２ｂは、スクロールバーエリア２１０内におけるアラーム発生区間の長さ（サイズＦ）を算出できる。
【００７９】
ステップＳＰ３０４において、アラーム発生位置表示手段２２ｂは、サイズＡと算出されたサイズＣの比率と、サイズＢとサイズＤの比率が同一なるように（サイズＡ：サイズＣ＝サイズＢ：サイズＤとなるように）サイズＤを算出する。
これによりアラーム発生位置表示手段２２ｂは、スクロールバーエリア２１０内におけるアラーム発生区間の位置を決定できる。
【００８０】
ステップＳＰ３０５においてアラーム発生位置表示手段２２ｂは、さらに記憶手段２１から全波形グラフ、測定データ、アラーム情報等を取得し、アラームが発生しているか否か判定し、アラームが発生していると判定されるとステップＳＰ３０２に移行する。
【００８１】
＜第２の実施例＞
本発明に係る波形表示装置は、演算制御部２２が、全波形グラフに対して既に波形表示した区間をスクロールバーエリア２１０上に、スクロールバーエリア２１０と関連させて画面２００を表示する既表示区間表示手段２２ｃを備えるものでもよい。
【００８２】
（既表示区間表示手段の説明）
具体的には、既表示区間表示手段２２ｃは、既に波形表示した区間（時間帯）を記憶手段２１に記憶する。すなわち、記憶手段２１は、測定データとは別の情報として既に波形表示した区間（以下、既表示区間という）の情報を記憶する。
既表示区間表示手段２２ｃは、表示手段２４を制御して記憶手段２１に記憶される全波形グラフに占める既表示区間の位置と長さを、全波形グラフの時間幅からスクロールバーエリア２１０の幅（長さ）に縮小した縮小率に基づいて縮小し、スクロールバーエリア２１０上に既表示区間を帯状に表示する。
【００８３】
図６は、図１の表示制御手段２２ａおよび既表示区間表示手段２２ｃが表示する画面２００の一例である。
図６において、既表示区間表示手段２２ｃは、表示手段２４を制御して、記憶手段２１に記憶される全波形グラフに占める既表示区間の時間帯（Ｔ１００〜Ｔ１５０）を全波形グラフの時間幅からスクロールバーエリア２１０の幅（長さ）に縮小した縮小率に基づいて縮小し、スクロールバーエリア２１０上に既表示区間の時間帯（ｔ１００〜ｔ１５０）を帯状（たとえば所定の色彩で着色された帯状）に表示する。
【００８４】
この結果、本発明によれば、既表示区間表示手段２２ｃが、既表示区間の位置と長さを、スクロールバーエリア２１０上に表示することにより、既表示区間と未表示の区間とが区別できるため、画面表示を途中で中止した場合であっても、未表示の区間だけを確認すればよく、表示確認の再開始位置を容易に把握可能で迅速に再開始位置に移動できる点で有効である。
【００８５】
＜第３の実施例＞
本発明に係る波形表示装置は、演算制御部２２が、全画面２００に表示される情報量を予め定められた単位時間ごとに算出し、算出された情報量の大小関係を予め定められた色によってスクロールバーエリア２１０に関連させて画面２００に表示する情報量表示手段２２ｄを備えるものでもよい。
【００８６】
具体的には、情報量表示手段２２ｄは、記憶手段２１に記憶される全波形グラフ、測定データの少なくともいずれかに基づき、予め定められた単位時間における画面２００に表示される情報量を算出する。情報量表示手段２２ｄは、算出された単位時間における情報量を記憶手段２１に記憶する。
【００８７】
また、情報量表示手段２２ｄは、表示手段２４を制御して記憶手段２１に記憶される単位時間における情報量に基づき、情報量の大小関係に対して予め定められた色を割り当てる。たとえば情報量表示手段２２ｄは、予め定められた情報量の値（または値の範囲）と色彩との関係情報を有し、この関係情報に基づき色を割り当てる。（例：情報量の値が大きければ濃い色を割り当て、情報量の値が小さければ薄い色を割り当てる。）
情報量表示手段２２ｄは、予め定められた閾値を超える情報量の値に対して、予め定められた色を割り当てるものでもよい。
【００８８】
また、情報量表示手段２２ｄは表示手段２４を制御し、記憶手段２１に記憶される単位時間における情報量とその色彩に基づいて、全波形グラフの時間幅からスクロールバーエリア２１０の幅（長さ）に縮小した縮小率により情報量に係る当該単位時間を縮小し、当該縮小された単位時間ごとに情報量に対して割り当てられた色でスクロールバーエリア２１０上に帯状に表示する。
すなわち、情報量表示手段２２ｄは算出された情報量の大小関係を予め定められた色によってスクロールバーエリア２１０に関連させて画面２００に表示する。
【００８９】
図７は、図１の表示制御手段２２ａおよび情報量表示手段２２ｄｃが表示する画面２００の一例である。
図７において、情報量表示手段２２ｄは、表示手段２４を制御して、記憶手段２１に記憶される単位時間における情報量とその色彩に基づいて、縮小された単位時間ごとに情報量に対して割り当てられた色（ここでは、情報量の値が大きければ濃い色を割り当て、情報量の値が小さければ薄い色）で着色してスクロールバーエリア２１０上に帯状に表示する。
【００９０】
この結果、本発明によれば、情報量表示手段２２ｄが、算出された情報量の大小関係を予め定められた色によってスクロールバーエリア２１０に関連させて画面２００に表示することにより、全波形グラフにおける情報量の多いデータの位置（一部の波形データの位置）が容易に把握可能で、表示画面上でのデータ検索を迅速に行うことができる、また、測定値情報のデータ数の量を容易に把握することができる点で有効である。
【００９１】
＜第４の実施例＞
本発明に係る波形表示装置は、演算制御部２２が、スクロールバー２２０の長さが変更すると画面２００内で表示される画像の表示倍率を変化させて表示させる長さ変更手段２２ｅを備えるものでもよい。
【００９２】
（長さ変更手段の説明）
長さ変更手段２２ｅは、スクロールバー２２０の長さが変更すると画面２００内で表示される画像の表示倍率を変化させて表示させる。
長さ変更手段２２ｅは、スクロールバー２２０の一方の端に接して表示開始点を変更するための始点変更ツマミと、他方の端に接して表示終了点を変更するための終点変更ツマミを、表示手段２４を制御して表示する。
【００９３】
具体的には、長さ変更手段２２ｅは、始点変更ツマミ又は終点変更ツマミがマウスなどの入力手段２３を介して画面上のポインタ、カーソルで指定しドラッグして左方向又は右方向に移動すると、その移動に対応させてスクロールバー２２０の長さを変化させる。さらに長さ変更手段２２ｅは、スクロールバー２２０の長さの変化にあわせて、画面２００に表示している画像の表示倍率を変化させる。
【００９４】
つまり、長さ変更手段２２ｅにより、始点変更ツマミ又は終点変更ツマミの移動先決定に基づいてスクロールバー２２０の長さが変化すると同時に、そのスクロールバー２２０の長さとその相対位置に基づいて画面２００の表示範囲と表示倍率が変更され、これに基づいて画面２００の表示が変更されることになる。
【００９５】
図８は、図１の表示制御手段２２ａおよび長さ変更手段２２ｅが表示する画面２００の一例である。（Ａ）はスクロールバー２２０の長さを変更していない場合、（Ｂ）はスクロールバー２２０の長さを変更した場合の説明図である。
（Ａ）で示した表示画面の状態で始点変更ツマミ又は終点変更ツマミがマウスなどの入力手段２３を介して画面上のポインタで指定しドラッグして左方向又は右方向に移動されると、長さ変更手段２２ｅは、表示手段２４を制御してその移動に対応させてスクロールバー２２０の長さを変化させる（（Ａ）の状態から（Ｂ）の状態に移行する）。
（Ｂ）において、長さ変更手段２２ｅは、スクロールバー２２０の長さの変化にあわせて、画面２００に表示している画像の表示倍率を変化させる。
【００９６】
つまり、長さ変更手段２２ｅは、入力手段により表示状態から始点変更ツマミが左方向に端部まで移動されスクロールバー２２０が大きくなると、波形グラフの全体（全波形グラフ）を画面２００（ウィンドウ）内に縮小表示する（図８（Ｂ））。このときは、始点変更ツマミの移動につれてスクロールバー２２０の長さが長くなるが、終点変更ツマミは移動しない。
【００９７】
この結果、本発明によれば、長さ変更手段２２ｅが、スクロールバー２２０の長さが変更すると画面２００内で表示される画像の表示倍率を変化させて表示させることにより、全波形グラフの概観が画面に表示できるため、全波形グラフにおける一部の波形データの位置が容易に把握可能で、表示画面上でのデータ検索を迅速に行うことができる点で有効である。
【００９８】
＜第５の実施例＞
本発明に係る波形表示装置は、演算制御部２２が、画面２００内に表示されている区間の時刻または測定データの識別情報をスクロールバー２２０に表示する識別情報表示手段２２ｆを備えるものでもよい。
【００９９】
（識別情報表示手段の説明）
具体的には、識別情報表示手段２２ｆは、記憶手段２１に記憶される全波形グラフ、測定データの少なくともいずれかの中から、画面２００内に現在表示されている波形データの区間（時間幅）、波形データの識別情報を取得する。
識別情報表示手段２２ｆが取得する区間（時間幅）の例としては２０１０年２月２６日〜２０１０年３月２５日、識別情報の例としては、測定データのデータ番号（１１１１１〜１１１７７７）が挙げられる。
なお、これらの区間情報、識別情報は外部の測定装置から受信した測定データに含まれており、予め記憶手段２１が記憶している。
【０１００】
また、識別情報表示手段２２ｆは、取得した画面２００内に現在表示されている区間（時間幅）、識別情報をスクロールバー２２０に表示する。
【０１０１】
図９は、図１の表示制御手段２２ａおよび識別情報表示手段２２ｆが表示する画面２００の一例である。
図９において、識別情報表示手段２２ｆは、画面２００内に現在表示されている波形データの時間幅が２０１０年２月２６日〜２０１０年３月２５日であるときは、スクロールバー２２０上に「２０１０年２月２６日〜２０１０年３月２５日」などと表示する。
【０１０２】
この結果、識別情報表示手段２２ｆが、画面２００内に現在表示されている波形データの時間帯情報などの区間情報をスクロールバー２２０上表示すれば、画面２００上において、表示を所望する時間帯の全波形グラフにおける位置の特定が容易になる
すなわち、本発明によれば、識別情報表示手段２２ｆは画面２００内に表示されている区間の時刻または測定データの識別情報をスクロールバーに表示することにより、全波形グラフにおける一部の波形データの位置が容易に把握可能で、表示画面上でのデータ検索を迅速に行うことができる点で有効である。
【０１０３】
＜その他の実施例＞
本発明に係る波形表示装置の演算制御部２２は、＜第１の実施例＞〜＜第５の実施例＞までに示した、表示制御手段２２ａ、アラーム発生位置表示手段２２ｂ、既表示区間表示手段２２ｃ、情報量表示手段２２ｄ、長さ変更手段２２ｅ、識別情報表示手段２２ｆのうち少なくともいずれかの機能ブロックを有するものでもよい。さらに演算制御部２２は、バー設定手段２２ｇの機能ブロックも有するものでもよい。
これらの各手段はバスにより相互に接続されるようなそれぞれ独立した機器から構成されるものであってもよい。
【０１０４】
（バー設定手段の説明）
バー設定手段２２ｇは、アラーム発生位置表示手段２２ｂがスクロールバーエリア２１０に関連させて表示する全波形グラフにおいてアラーム発生区間、又は、既表示区間表示手段２２ｃがスクロールバーエリア２１０に表示する既表示区間、又は、情報量表示手段２２ｄがスクロールバーエリア２１０に表示する情報量の大小関係を、他のエリアの表示と色、濃度、マーク、フリッカ、視覚的に異なる表示態様により区別して表示する。
【０１０５】
具体的には、バー設定手段２２ｇは、マウスなどの入力手段２３を介してスクロールバー２２０が指定されてクリックされると、スクロールバー２２０に表示される表示区間またはスクロールバーエリア２１０内に表示される、アラーム発生区間、既表示区間、情報量の大小関係などの設定対象の色、濃度、マーク、フリッカの種別を設定するためのウィンドウ画面を表示する。
さらにバー設定手段２２ｇは、入力手段２３を介して入力される、設定対象への色、濃度、マーク、フリッカの種別に基づいて、各設定対象の表示態様を表示する。すなわち、バー設定手段２２ｇは、入力手段２３を介して入力された設定情報に基づき、スクロールバーエリア２１０およびスクロールバー２２０に係る表示を視覚的に異なる表示態様により区別して表示する。
【０１０６】
図１０は、図１の表示制御手段２２ａおよびバー設定手段２２ｇが表示する画面２００の一例である。
図１０において、バー設定手段２２ｇは、アラーム発生区間、既表示区間、情報量の大小関係などの設定対象の色、濃度、マーク、フリッカの種別を設定するためのウィンドウ画面を表示し、入力手段２３を介して入力された設定情報に基づき、スクロールバーエリア２１０およびスクロールバー２２０に係る表示を視覚的に異なる表示態様により区別して表示する。
【０１０７】
この結果、本発明によれば、バー設定手段２２ｇが、設定対象の表示に係る色、濃度、マーク、フリッカの種別を変更し、視覚的に異なる表示態様により区別して表示することにより、全波形グラフにおける一部の波形データの位置が容易に把握可能で、表示画面上でのデータ検索を迅速に行うことができる。
【０１０８】
これらのように、本発明に係る波形表示装置は、上述に示す構成とすることにより、全波形グラフにおける情報量の多いデータの位置（一部の波形データの位置）が容易に把握可能で、表示画面上でのデータ検索を迅速に行うことができる、また、測定値情報のデータ数の量を容易に把握することができる点で有効である。
すなわち本発明に係る波形表示装置は、画面表示のために既に確保が必須となっている領域を有効活用した点、スクロールバーが本来持つ機能以外に機能を付加した点を特徴とし、スクロールバーのバックグラウンドに情報の一部を表示し、表示すべき情報の特定を支援する点で有効である。
【符号の説明】
【０１０９】
２２  演算制御部
２２ａ  表示制御手段
２２ｂ  アラーム発生位置表示手段
２２ｃ  既表示区間表示手段
２２ｄ  情報量表示手段
２２ｅ  長さ変更手段
２２ｆ  識別情報表示手段
２２ｇ  バー設定手段
【図１】
2011185911.tif 000003
【図２】
2011185911.tif 000004
【図３】
2011185911.tif 000005
【図４】
2011185911.tif 000006
【図５】
2011185911.tif 000007
【図６】
2011185911.tif 000008
【図７】
2011185911.tif 000009
【図８】
2011185911.tif 000010
【図９】
2011185911.tif 000011
【図１０】
2011185911.tif 000012
【図１１】
2011185911.tif 000013